(57)【要約】　　　（修正有）【課題】画像ファイルが検証データ付きであるか否かをユーザに通知する機能を有する撮像装置を提供する。【解決手段】選択エリアに表示された縮小画像データに対応する画像ファイルが検証データ付きであるか否かを判定する（Ｓ２０２）。検証データ付きである場合は、エリアＸにマーク１を表示する（Ｓ２０３）。検証データ付きでない場合は、エリアＸに何も表示しない（Ｓ２０４）。【選択図】　図２
2004112699.tif 000002
【特許請求の範囲】
【請求項１】
画像ファイルが検証データ付きであるか否かを判定する判定手段と、
前記画像ファイルが検証データ付きである場合は、所定のエリアに前記画像ファイルが検証データ付きであることを示す情報を表示する表示手段とを有することを特徴とする撮像装置。
【請求項２】
画像表示モードを切り替えた場合であっても、前記マークを表示する位置を変えないことを特徴とする請求項１に記載の撮像装置。
【請求項３】
前記判定手段はさらに、前記画像ファイルがプロテクト済みであるか否かを判定することを特徴とする請求項１または２に記載の撮像装置。
【請求項４】
前記表示手段は、前記画像ファイルがプロテクト済みである場合は、前記所定のエリアに前記画像ファイルがプロテクト済みであることを示す情報を表示することを特徴とする請求項３に記載の撮像装置。
【請求項５】
前記表示手段は、前記画像ファイルが検証データ付きであり、且つ、プロテクト済みである場合は、前記所定のエリアに前記画像ファイルが検証データ付きであり、且つ、プロテクト済みであることを示す情報を表示することを特徴とする請求項４に記載の撮像装置。
【請求項６】
撮像手段を有する撮像装置であって、
前記撮像手段で撮像した画像データに検証データを付加するか否かを設定する設定手段と、
前記撮像手段で撮像して得た画像データを所定の記憶媒体に格納するため、当該記憶媒体を接続するメモリインタフェースと、
前記設定手段で検証データを付加する設定が行われている状態で、前記撮像手段で撮像して得た画像データを前記メモリインタフェースを介して前記記憶媒体に格納する場合、検証データを付加して格納する格納制御手段と、
前記記憶媒体に格納されている所望の画像を表示する表示手段と、
該表示手段に画像を表示する際、当該画像に前記検証データが付加されている場合、当該画像と共に所定の位置に検証データが付加されていることを示す情報を表示する表示制御手段と
を備えることを特徴とする撮像装置。
【発明の詳細な説明】
【０００１】
【発明の属する技術分野】
本発明は、画像ファイルに関する情報をユーザに通知する撮像装置に関するものである。
【０００２】
【従来の技術】
近年のデジタルカメラは、リムーバブルメモリ内の画像ファイルに関する情報を表示器に表示することができる。
【０００３】
【発明が解決しようとする課題】
しかしながら、近年のデジタルカメラには、リムーバブルメモリ内の画像ファイルが検証データ付きであるか否かをユーザに通知することができるものがなかった。そのため、画像ファイルが検証データ付きであるにもかかわらず、誤って消去してしまう場合があった。なお、検証データとは、画像ファイル内の画像データが改変されているか否かを検証する処理に必要なデータのことである。
【０００４】
また、近年のデジタルカメラには、画像ファイルが検証データ付きであるか否かを示す情報を限られた画面にどのように表示させるべきかを考慮したものもなかった。
【０００５】
本発明は、このような問題を解決するためになされたものであり、画像ファイルが検証データ付きであるか否かをユーザに通知できるようにすることを目的とする。
【０００６】
【課題を解決するための手段】
本発明の撮像装置は、画像ファイルが検証データ付きであるか否かを判定する判定手段と、前記画像ファイルが検証データ付きである場合は、所定のエリアに前記画像ファイルが検証データ付きであることを示す情報を表示する表示手段とを有することを特徴とする。
【０００７】
【発明の実施の形態】
（第１の実施の形態）
以下、図１〜図４を参照し、本発明の第１の実施の形態を説明する。
【０００８】
図１は、本実施の形態における撮像装置１０の主要な構成を示す図である。なお、撮像装置１０は、イメージセンサで画像を撮像する機能を有する装置（例えば、デジタルカメラ、スキャナ、コピー機、デジタルカメラ付き携帯情報端末など）である。
【０００９】
図１において、撮像部１０１は、イメージセンサで撮像された画像の画像データを生成するユニットである。撮像制御部１０２は、メイン制御部１１０からの指示に従って撮像部１０１の動作を制御するユニットである。撮像制御部１０２は、撮像部１０１で生成された画像データに関する情報をメイン制御部１１０に提供する。画像処理部１０３は、撮像部１０１から得た画像データの画質を予め設定された複数の画像調整パラメータに従って調整し、調整後の画像データを所定の画像圧縮方式に従って圧縮するユニットである。メモリ１０４は、様々なデータを記憶するものである。
【００１０】
メモリインターフェース部１０５は、メイン制御部１１０が指定した画像ファイルをリムーバブルメモリ１０６に書き込んだり、メイン制御部１１０が指定した画像ファイルをリムーバブルメモリ１０６から読み出したりするユニットである。リムーバブルメモリ１０６は、複数の画像ファイルの記憶が可能なものである。
【００１１】
ネットワークインターフェース部１０７は、メイン制御部１１０が指定した画像ファイルを外部装置１０８に送信するユニットである。外部装置１０８は、撮像装置１０をリモートコントロールするアプリケーションプログラム、画像データの画質を複数の画像調整パラメータに従って調整するアプリケーションプログラムなどをインストールした装置である。
【００１２】
表示部１０９は、撮像部１０１で撮像された画像の縮小画像データ、リムーバブルメモリ１０６から読み出した画像ファイルの縮小画像データなどを表示するユニットである。また、表示部１０９は、選択画像に関する情報を表示するユニットでもある。
【００１３】
メイン制御部１１０は、撮像装置１０の様々な機能を制御するユニットである。また、メイン制御部１１０は、検証データ生成処理、画像ファイル生成処理、画像プロテクト処理などを実行するユニットでもある。ここで、検証データ生成処理とは、画像処理部１０３から得た画像データのハッシュ値と鍵データ（共通鍵暗号方式の共通鍵または公開鍵暗号方式の秘密鍵に相当するデータ）とを用いてその画像データの検証データを生成する処理のことである。検証データとは、画像データが改変されているか否かを検証する処理に必要なデータのことである。画像ファイル生成処理とは、画像データとその画像データの検証データとを含む画像ファイルを生成する処理であるのことである。画像プロテクト処理とは、リムーバブルメモリ１０６からの消去を防止する情報を画像ファイルに付加する処理であるのことである。
【００１４】
画像切替ダイヤル１１１は、表示部１０９の選択エリアに表示する縮小画像データを切り替えるダイヤルである。ディスプレイボタン１１２は、撮像装置１０の画像表示モードを切り替えるボタンである。撮像装置１０の画像表示モードには、１画像表示モード、９画像表示モードがある。１画像表示モードは、リムーバブルメモリ１０６から読み出した１つの縮小画像データを表示するとともに、その縮小画像データに対応する画像データに関する情報を表示する画像表示モードである。９画像表示モードは、リムーバブルメモリ１０６から読み出した９つの縮小画像データをマトリックス状（実施形態では３×３とするが、勿論これ以外でも構わない）に配置して表示するとともに、選択エリアの縮小画像データに対応する画像データに関する情報を表示する画像表示モードである。
【００１５】
また、１１３は撮像の開始を指示するボタンであり、１１４は検証データの付加を行う／行わない（オン／オフ）を切り替えるためのボタンである。この状態情報はメモリ１０４の所定エリアに格納されており、例えば、検証データを付与することを示す状態にした場合、それ以降に撮像して得られた画像データをリムーバルメモリ１０６に格納する際には、検証データを付加したものを格納するｌことになる。従って、検証データを付与しない、すなわち、オフにした場合には検証データは付与されないまま画像データが格納されることになる。
【００１６】
図４（ａ）は、画像表示モードが１画像表示モードであるときに表示部１０９が表示する画面の一例を示す図である。エリア０は、リムーバブルメモリ１０６から読み出した縮小画像データを表示するエリアである。エリアＡは、選択エリアであるエリア０の縮小画像データに対応する画像データに関する情報を表示するエリアである。エリアＡ内にあるエリアＸは、図４（ｃ）のマーク１を表示するためのエリアである（マーク１を表示する／しないは検証データが付与されているか否かに依存する）。
【００１７】
図４（ｂ）は、画像表示モードが９画像表示モードであるときに表示部１０９が表示する画面の一例を示す図である。エリア０からエリア８は、リムーバブルメモリ１０６から読み出した縮小画像データを表示するエリアである。エリアＡは、選択エリア（第１の実施の形態では、エリア０とする）の縮小画像データに対応する画像データに関する情報を表示するエリアである。エリアＡ内にあるエリアＸは、図４（ｃ）のマーク１を表示するエリアであって、９画像中の選択状態（不図示のボタンやキー操作でもってコマ送り／戻し、次の９画像、前の９画像の表示が切り替え可能となっている）になっている画像に検証データが付加されているか否かに依存して表示／非表示が制御されることになる。
【００１８】
図４（ｃ）のマーク１は、上記の如く、選択エリアの縮小画像データに対応する画像ファイルが検証データ付きであることをユーザに通知するための情報である。なお、検証データ付き画像ファイルとは、画像ファイル内の画像データから得た検証データを付加した画像ファイルのことである。
【００１９】
第１の実施の形態では、使いやすいユーザインターフェースを実現するために、図４（ａ）のエリアＡおよびエリアＸと図４（ｂ）のエリアＡおよびエリアＸとを同じ場所に表示するものとする。また、画像表示モードを１画像表示モードから９画像表示モードに切り替える場合は、図４（ａ）のエリア０の縮小画像データを図４（ｂ）の選択エリアに表示するものとする。同様に、画像表示モードを９画像表示モードから１画像表示モードに切り替える場合も、図４（ｂ）の選択エリアの縮小画像データを図４（ａ）のエリア０に表示するものとする。このように構成することにより、画像表示モードが１画像表示モードから９画像表示モード、あるいは、９画像表示モードから１画像表示モードに切り替えても、エリアＡおよびエリアＸの場所は移動しないことになり、エリアＡおよびエリアＸが表示する情報も変わらないことになる。つまり、マーク１を表示するエリアは、画像表示モードを切り替えても変化しないことになる。
【００２０】
図２は、画像表示モードを９画像表示モードから１画像表示モードに切り替えたときに実行される処理手順を示すフローチャートである。
【００２１】
ステップＳ２０１：メモリインターフェース部１０５は、選択エリアであるエリア０に表示する縮小画像データに対応する画像ファイルをリムーバブルメモリ１０６から読み出し、読み出した画像ファイルをメモリ１０４に書き込む。
【００２２】
ステップＳ２０２：メイン制御部１１０は、メモリ１０４に書き込まれた画像ファイルを解析し、その画像ファイルが検証データ付きであるか否かを判定する。検証データ付きである場合はステップＳ２０３に進み、検証データ付きでない場合はステップＳ２０４に進む。
【００２３】
ステップＳ２０３：メイン制御部１１０は、メモリ１０４に書き込まれた画像ファイルから縮小画像データを読み出し、読み出した縮小画像データをエリア０に表示する。また、メイン制御部１１０は、エリア０に表示された縮小画像データに対応する画像ファイルが検証データ付きであることをユーザに通知するために、図４（ｃ）のマーク１を図４（ａ）のエリアＸに表示する。
【００２４】
ステップＳ２０４：メイン制御部１１０は、メモリ１０４に書き込まれた画像ファイルから縮小画像データを読み出し、読み出した縮小画像データをエリア０に表示する。また、メイン制御部１１０は、エリア０に表示された縮小画像データに対応する画像ファイルが検証データ付きでないことをユーザに通知するために、図４（ａ）のエリアＸに何も表示しない。
【００２５】
図３は、画像表示モードを１画像表示モードから９画像表示モードに切り替えたときに実行される処理手順を示すフローチャートである。
【００２６】
ステップＳ３０１：メイン制御部１１０は、ｎ＝０とする。
【００２７】
ステップＳ３０２：メモリインターフェース部１０５は、エリアｎに表示する縮小画像データに対応する画像ファイルをリムーバブルメモリ１０６から読み出し、読み出した画像ファイルをメモリ１０４に書き込む。
【００２８】
ステップＳ３０３：メイン制御部１１０は、エリアｎが選択エリアであるか否かを判定する。選択エリアである場合はステップＳ３０４に進み、選択エリアでない場合はステップＳ３０９に進む。
【００２９】
ステップＳ３０４：メイン制御部１１０は、メモリ１０４に書き込まれた画像ファイルを解析し、その画像ファイルが検証データ付きであるか否かを判定する。検証データ付きである場合はステップＳ３０５に進み、検証データ付きでない場合はステップＳ３０６に進む。
【００３０】
ステップＳ３０５：メイン制御部１１０は、メモリ１０４に書き込まれた画像ファイルから縮小画像データを読み出し、読み出した縮小画像データをエリアｎに表示する。また、メイン制御部１１０は、エリアｎに表示された縮小画像データに対応する画像ファイルが検証データ付きであることをユーザに通知するために、図４（ｃ）のマーク１を図４（ｂ）のエリアＸに表示する。
【００３１】
ステップＳ３０６：メイン制御部１１０は、メモリ１０４に書き込まれた画像ファイルから縮小画像データを読み出し、読み出した縮小画像データをエリア０に表示する。また、メイン制御部１１０は、エリア０に表示された縮小画像データに対応する画像ファイルが検証データ付きでないことをユーザに通知するために、図４（ｂ）のエリアＸに何も表示しない。
【００３２】
このように、第１の実施の形態における撮像装置１０によれば、マーク１を表示することができるので、画像ファイルが検証データ付きであるか否かをユーザに通知することができる。
【００３３】
また、第１の実施の形態における撮像装置１０によれば、画像表示モードを切り替えても、マーク１を同じ場所（エリアＸ）に表示することができるので、ユーザは、エリアＸを見るだけで、画像ファイルが検証データ付きであるか否かを知ることができる。
【００３４】
（第２の実施の形態）
以下、図１、図５〜図７を参照し、本発明の第２の実施の形態を説明する。
【００３５】
第２の実施の形態では、選択された縮小画像データに対応する画像ファイルが検証データ付きであるか否かを判定するとともに、プロテクト済みであるか否かも判定し、その判定結果を示す情報（マーク２、マーク３およびマーク４）を同じ場所（エリアＸ）に表示する撮像装置を説明する。
【００３６】
図７（ａ）は、画像表示モードが１画像表示モードであるときに表示部１０９が表示する画面の一例を示す図である。エリア０は、リムーバブルメモリ１０６から読み出した縮小画像データを表示するエリアである。エリアＡは、選択エリア（すなわち、エリア０）の縮小画像データに対応する画像データに関する情報を表示するエリアである。エリアＡ内にあるエリアＸは、図７（ｃ）のマーク２、図７（ｄ）のマーク３または図７（ｅ）のマーク４を表示するエリアである。
【００３７】
図７（ｂ）は、画像表示モードが９画像表示モードであるときに表示部１０９が表示する画面の一例を示す図である。エリア０からエリア８は、リムーバブルメモリ１０６から読み出した縮小画像データを表示するエリアである。エリアＡは、選択エリア（第２の実施の形態でも、エリア０とする）の縮小画像データに対応する画像データに関する情報を表示するエリアである。エリアＡ内にあるエリアＸは、図７（ｃ）のマーク２、図７（ｄ）のマーク３または図７（ｅ）のマーク４を表示するエリアである。
【００３８】
図７（ｃ）のマーク２は、選択エリアの縮小画像データに対応する画像ファイルが検証データ付きであり、且つ、プロテクト済みであることをユーザに通知するための情報である。図７（ｃ）のマーク３は、選択エリアの縮小画像データに対応する画像ファイルがプロテクト済みではあるが、検証データ付きではないことをユーザに通知するための情報である。図７（ｃ）のマーク４は、選択エリアの縮小画像データに対応する画像ファイルが検証データ付きではあるが、プロテクト済みではないことをユーザに通知するための情報である。ここで、プロテクト済みの画像ファイルとは、リムーバブルメモリ１０６からの消去を防止した画像ファイルのことである。
【００３９】
第２の実施の形態では、使いやすいユーザインターフェースを実現するために、図７（ａ）のエリアＡおよびエリアＸと図７（ｂ）のエリアＡおよびエリアＸと同じ場所に表示するものとする。また、画像表示モードを１画像表示モードから９画像表示モードに切り替える場合は、図７（ａ）のエリア０の縮小画像データを図７（ｂ）の選択エリアに表示するものとする。同様に、画像表示モードを９画像表示モードから１画像表示モードに切り替える場合も、図７（ｂ）の選択エリアの縮小画像データを図７（ａ）のエリア０に表示するものとする。このように構成することにより、画像表示モードが１画像表示モードから９画像表示モード、あるいは、９画像表示モードから１画像表示モードに切り替えても、エリアＡおよびエリアＸの場所は移動しないことになり、エリアＡおよびエリアＸが表示する情報も変わらないことになる。つまり、マーク２、マーク３およびマーク４を表示するエリアは、画像表示モードを切り替えても変化しないことになる。
【００４０】
図５は、画像表示モードを９画像表示モードから１画像表示モードに切り替えたときに実行される処理手順を示すフローチャートである。
【００４１】
ステップＳ５０１：メモリインターフェース部１０５は、選択エリアであるエリア０に表示する縮小画像データに対応する画像ファイルをリムーバブルメモリ１０６から読み出し、読み出した画像ファイルをメモリ１０４に書き込む。
【００４２】
ステップＳ５０２：メイン制御部１１０は、メモリ１０４に書き込まれた画像ファイルを解析し、その画像ファイルがプロテクト済みであるか否かを判定する。プロテクト済みである場合はステップＳ５０３に進み、プロテクト済みでない場合はステップＳ５０６に進む。
【００４３】
ステップＳ５０３：メイン制御部１１０は、メモリ１０４に書き込まれた画像ファイルをさらに解析し、その画像ファイルが検証データ付きであるか否かを判定する。検証データ付きである場合はステップＳ５０４に進み、検証データ付きでない場合はステップＳ５０５に進む。
【００４４】
ステップＳ５０４：メイン制御部１１０は、メモリ１０４に書き込まれた画像ファイルから縮小画像データを読み出し、読み出した縮小画像データをエリア０に表示する。また、メイン制御部１１０は、エリア０に表示された縮小画像データに対応する画像ファイルがプロテクト済みであり、且つ、検証データ付きであることをユーザに通知するために、図７（ｃ）のマーク２を図７（ａ）のエリアＸに表示する。
【００４５】
ステップＳ５０５：メイン制御部１１０は、メモリ１０４に書き込まれた画像ファイルから縮小画像データを読み出し、読み出した縮小画像データをエリア０に表示する。また、メイン制御部１１０は、エリア０に表示された縮小画像データに対応する画像ファイルがプロテクト済みではあるが、検証データ付きではないことをユーザに通知するために、図７（ｄ）のマーク３を図７（ａ）のエリアＸに表示する。
【００４６】
ステップＳ５０６：メイン制御部１１０は、メモリ１０４に書き込まれた画像ファイルをさらに解析し、その画像ファイルが検証データ付きであるか否かを判定する。検証データ付きである場合はステップＳ５０７に進み、検証データ付きでない場合はステップＳ５０８に進む。
【００４７】
ステップＳ５０７：メイン制御部１１０は、メモリ１０４に書き込まれた画像ファイルから縮小画像データを読み出し、読み出した縮小画像データをエリア０に表示する。また、メイン制御部１１０は、エリア０に表示された縮小画像データに対応する画像ファイルが検証データ付きではあるが、プロテクト済みではないことをユーザに通知するために、図７（ｅ）のマーク４を図７（ａ）のエリアＸに表示する。
【００４８】
ステップＳ５０８：メイン制御部１１０は、メモリ１０４に書き込まれた画像ファイルから縮小画像データを読み出し、読み出した縮小画像データをエリア０に表示する。また、メイン制御部１１０は、エリア０に表示された縮小画像データに対応する画像ファイルが検証データ付きでもプロテクト済みでもないことをユーザに通知するために、図７（ａ）のエリアＸに何も表示しない。
【００４９】
図６は、画像表示モードを１画像表示モードから９画像表示モードに切り替えたときに実行される処理手順を示すフローチャートである。
【００５０】
ステップＳ６０１：メイン制御部１１０は、ｎ＝０とする。
【００５１】
ステップＳ６０２：メモリインターフェース部１０５は、エリアｎに表示する縮小画像データに対応する画像ファイルをリムーバブルメモリ１０６から読み出し、読み出した画像ファイルをメモリ１０４に書き込む。
【００５２】
ステップＳ６０３：メイン制御部１１０は、エリアｎが選択エリアであるか否かを判定する。選択エリアである場合はステップＳ６０４に進み、選択エリアでない場合はステップＳ６１３に進む。
【００５３】
ステップＳ６０４：メイン制御部１１０は、メモリ１０４に書き込まれた画像ファイルを解析し、その画像ファイルがプロテクト済みであるか否かを判定する。プロテクト済みである場合はステップＳ６０５に進み、プロテクト済みでない場合はステップＳ６０８に進む。
【００５４】
ステップＳ６０５：メイン制御部１１０は、メモリ１０４に書き込まれた画像ファイルをさらに解析し、その画像ファイルが検証データ付きであるか否かを判定する。検証データ付きである場合はステップＳ６０６に進み、検証データ付きでない場合はステップＳ６０７に進む。
【００５５】
ステップＳ６０６：メイン制御部１１０は、メモリ１０４に書き込まれた画像ファイルから縮小画像データを読み出し、読み出した縮小画像データをエリアｎに表示する。また、メイン制御部１１０は、エリアｎに表示された縮小画像データに対応する画像ファイルがプロテクト済みであり、且つ、検証データ付きであることをユーザに通知するために、図７（ｃ）のマーク２を図７（ｂ）のエリアＸに表示する。
【００５６】
ステップＳ６０７：メイン制御部１１０は、メモリ１０４に書き込まれた画像ファイルから縮小画像データを読み出し、読み出した縮小画像データをエリアｎに表示する。また、メイン制御部１１０は、エリアｎに表示された縮小画像データに対応する画像ファイルがプロテクト済みではあるが、検証データ付きではないことをユーザに通知するために、図７（ｄ）のマーク３を図７（ｂ）のエリアＸに表示する。
【００５７】
ステップＳ６０８：メイン制御部１１０は、メモリ１０４に書き込まれた画像ファイルをさらに解析し、その画像ファイルが検証データ付きであるか否かを判定する。検証データ付きである場合はステップＳ６０９に進み、検証データ付きでない場合はステップＳ６１０に進む。
【００５８】
ステップＳ６０９：メイン制御部１１０は、メモリ１０４に書き込まれた画像ファイルから縮小画像データを読み出し、読み出した縮小画像データをエリアｎに表示する。また、メイン制御部１１０は、エリアｎに表示された縮小画像データに対応する画像ファイルが検証データ付きではあるが、プロテクト済みでないことをユーザに通知するために、図７（ｅ）のマーク４を図７（ｂ）のエリアＸに表示する。
【００５９】
ステップＳ６１０：メイン制御部１１０は、メモリ１０４に書き込まれた画像ファイルから縮小画像データを読み出し、読み出した縮小画像データをエリアｎに表示する。また、メイン制御部１１０は、エリアｎに表示された縮小画像データに対応する画像ファイルが検証データ付きでもプロテクト済みでもないことをユーザに通知するために、エリアＸに何も表示しない。
【００６０】
ステップＳ６１１：メイン制御部１１０は、ｎ＝８であるか否かを判定する。ｎ＝８でない場合はステップＳ６１２に進む。
【００６１】
ステップＳ６１２：メイン制御部１１０は、ｎ＝ｎ＋１とする。
【００６２】
ステップＳ６１３：メイン制御部１１０は、メモリ１０４に書き込まれた画像ファイルから縮小画像データを読み出し、読み出した縮小画像データをエリアｎに表示する。
【００６３】
このように、第２の実施の形態における撮像装置１０によれば、マーク２、マーク３またはマーク４を表示することができるので、画像ファイルが検証データ付きであるか否か、プロテクト済みであるか否かをユーザに通知することができる。
【００６４】
また、第２の実施の形態における撮像装置１０によれば、マーク２、マーク３またはマーク４を同じ場所（エリアＸ）に表示することができるので、限られた表示領域を有効に利用することができる。
【００６５】
また、第２の実施の形態における撮像装置１０によれば、画像表示モードを切り替えても、マーク２、マーク３またはマーク４を同じ場所（エリアＸ）に表示することができるので、ユーザは、エリアＸを見るだけで、画像ファイルが検証データ付きであるか否か、プロテクト済みであるか否かを知ることができる。
【００６６】
【発明の効果】
以上説明したように本発明によれば、画像ファイルが検証データ付きであるか否かをユーザに通知することができる。
【図面の簡単な説明】
【図１】第１および第２の実施の形態における撮像装置の主要な構成を示す図である。
【図２】１画像表示モードにおける処理手順を示すフローチャートである。
【図３】９画像表示モードにおける処理手順を示すフローチャートである。
【図４】１画像表示モードのときに表示される画面の一例、９画像表示モードのときに表示される画面の一例、エリアＸに表示されるマーク２、マーク３およびマーク４の一例を示す図である。
【図５】１画像表示モードにおける処理手順を示すフローチャートである。
【図６】９画像表示モードにおける処理手順を示すフローチャートである。
【図７】１画像表示モードのときに表示される画面の一例、９画像表示モードのときに表示される画面の一例、エリアＸに表示されるマーク２、マーク３およびマーク４の一例を示す図である。
【符号の説明】
１０　撮像装置
１０１　撮像部
１０２　撮像制御部
１０３　画像処理部
１０４　メモリ
１０５　メモリインターフェース部
１０６　リムーバブルメモリ
１０７　ネットワークインターフェース部
１０８　外部装置
１０９　表示部
１１０　メイン制御部
１１１　画像切替ダイヤル
１１２　ディスプレイボタン
１１３　撮像開始ボタン
１１４　検証データ付与のオン・オフ切り替えボタン
【図１】
2004112699.tif 000003
【図２】
2004112699.tif 000004
【図３】
2004112699.tif 000005
【図４】
2004112699.tif 000006
【図５】
2004112699.tif 000007
【図６】
2004112699.tif 000008
【図７】
2004112699.tif 000009